(57)【要約】【課題】操作パネルの画像形成装置本体への組み込みが容易な操作パネル及び画像形成装置を提供する。【解決手段】画像形成装置本体に少なくとも係合部で係合されて取り付けられる操作パネルにおいて、操作パネルに形成したパネル側係合部と、画像形成装置本体に形成しパネル側係合部と回動自在に係合する本体側係合部と、本体側係合部とパネル側係合部との係合後に操作パネルを画像形成装置本体に固定する固定部と、を備え、操作パネルを画像形成装置本体に対し平行移動させることにより係合部に係合し、固定部で固定されることを特徴とする操作パネル。【選択図】　　　　図４
2004054173.tif 000002
【特許請求の範囲】
【請求項１】
画像形成装置本体に少なくとも係合部で係合されて取り付けられる操作パネルにおいて、
前記操作パネルに形成したパネル側係合部と、
前記画像形成装置本体に形成し前記パネル側係合部と回動自在に係合する本体側係合部と、
前記本体側係合部と前記パネル側係合部との係合後に前記操作パネルを前記画像形成装置本体に固定する固定部と、
を備え、前記操作パネルを前記画像形成装置本体に対し平行移動させることにより前記係合部に係合し、前記固定部で固定されることを特徴とする操作パネル。
【請求項２】
前記本体側係合部はスリット状の溝が形成され、前記パネル側係合部は前記溝に挿入される突起部を有することを特徴とする請求項１に記載の操作パネル。
【請求項３】
前記操作パネルを操作者が操作する位置より見て、前記操作パネルの左右端が前記画像形成装置本体の一部で位置規制され、前記操作パネルは前記画像形成装置本体に対し後方に移動して前記溝に挿入されることを特徴とする請求項１または２に記載の操作パネル。
【請求項４】
前記操作パネルの上面の傾きは、前記画像形成装置本体に対し、少なくとも２つの所定の傾きに固定、または任意の傾きに調整可能であることを特徴とする請求項１に記載の操作パネル。
【請求項５】
請求項１から４のいずれか１項に記載の操作パネルを用いたことを特徴とする画像形成装置。
【請求項６】
画像形成装置本体に取り付けられる操作パネルにおいて、
前記画像形成装置本体に形成した前記操作パネルを仮保持する本体側仮保持部と、
前記本体側仮保持部と係合する前記操作パネルに形成したパネル側仮保持部と、
を備え、前記操作パネルを前記画像形成装置本体に組立時、前記パネル側仮保持部と前記本体側仮保持部とが係合して前記操作パネルが前記画像形成装置本体に対し仮保持可能であることを特徴とする操作パネル。
【請求項７】
前記操作パネルの上面の傾きは、前記画像形成装置本体に対し、少なくとも２つの所定の傾きに固定、または任意の傾きに調整可能であることを特徴とする請求項６に記載の操作パネル。
【請求項８】
前記本体側仮保持部と前記パネル側仮保持部とによる仮保持により、前記操作パネルの後方側端と前記後方側端に対向する前記画像形成装置本体の前面側端とで電気接続のための作業空間が形成されることを特徴とする請求項６に記載の操作パネル。
【請求項９】
前記操作パネルが前記画像形成装置本体に固定位置に近い位置に、前記本体側仮保持部と前記パネル側仮保持部とが仮保持されることを特徴とする請求項６に記載の操作パネル。
【請求項１０】
１つの本体側仮保持部が、複数のパネル側仮保持部と共用で仮保持可能であることを特徴とする請求項６または７に記載の操作パネル。
【請求項１１】
請求項６から１０のいずれか１項に記載の操作パネルを用いたことを特徴とする画像形成装置。
【発明の詳細な説明】
【０００１】
【発明の属する技術分野】
本発明は、複写機、プリンタ、ファクシミリ等の操作パネル及び画像形成装置に関し、特に操作パネルの組み立ての改良に関する。
【０００２】
【従来の技術】
従来技術１として、画像形成装置には操作パネルが設けられ、操作パネルに形成した各種操作釦等により画像形成装置を操作できるようになっている。この操作パネルを画像形成装置本体に固定する手段として、例えば、操作パネル側の左右側端に突起部を設け、画像形成装置本体側に穴を設け、操作パネルを傾けて突起部を穴に挿入して後に固定する構成のものがある。
【０００３】
また、従来技術２として、操作パネルを組み立て者が手で保持しながら、操作パネルと画像形成装置本体と間の電気配線の後に、操作パネルを画像形成装置本体に固定している。
【０００４】
【発明が解決しようとする課題】
しかしながら、従来技術１の課題として、操作パネルを傾けて突起部を穴に挿入して後に組み込むので、組み立て難いという問題がある。第１発明の目的は、操作パネルの画像形成装置本体への組み込みが容易で確実な操作パネル、及びこの操作パネルを用いた画像形成装置を提供することにある。
【０００５】
従来技術２の課題として、操作パネルを組み立て者が手で保持しながら、操作パネルと画像形成装置本体間の電気配線等を行うと、操作パネルが不用意に落下したり、操作パネルを手で保持して配線処理を行うと組み立ての作業性が悪いという問題がある。第２発明の目的は、操作パネルの仮保持により画像形成装置本体への組み込みが容易な操作パネル及びこの操作パネルを用いた画像形成装置を提供することにある。
【０００６】
【課題を解決するための手段】
上記の第１発明の目的は下記の手段のいずれかにより達成できる。
【０００７】
（１）画像形成装置本体に少なくとも係合部で係合されて取り付けられる操作パネルにおいて、前記操作パネルに形成したパネル側係合部と、前記画像形成装置本体に形成し前記パネル側係合部と回動自在に係合する本体側係合部と、前記本体側係合部と前記パネル側係合部との係合後に前記操作パネルを前記画像形成装置本体に固定する固定部と、を備え、前記操作パネルを前記画像形成装置本体に対し平行移動させることにより前記係合部に係合し、前記固定部で固定されることを特徴とする操作パネル。
【０００８】
（２）前記（１）に記載の操作パネルを用いたことを特徴とする画像形成装置。
【０００９】
上記の第２発明の目的は下記の手段のいずれかにより達成できる。
（３）画像形成装置本体に取り付けられる操作パネルにおいて、前記画像形成装置本体に形成した前記操作パネルを仮保持する本体側仮保持部と、前記本体側仮保持部と係合する前記操作パネルに形成したパネル側仮保持部と、を備え、前記操作パネルを前記画像形成装置本体に組立時、前記パネル側仮保持部と前記本体側仮保持部とが係合して前記操作パネルが前記画像形成装置本体に対し仮保持可能であることを特徴とする操作パネル。
【００１０】
（４）前記（３）に記載の操作パネルを用いたことを特徴とする画像形成装置。
【００１１】
【発明の実施の形態】
（実施の形態１）
第１発明の実施の形態に係わる画像形成装置について説明する。図１は第１発明の実施の形態における画像形成装置の操作パネル周辺を示す斜視図、図２は図１の操作パネル周辺を示す上面図である。
【００１２】
図１および図２において、画像形成装置は画像形成装置本体１０、操作パネル２０、原稿搬送装置３０で構成されている。画像形成装置本体１０の上部に原稿搬送装置３０が配置され、画像形成装置本体１０の上部前面に操作パネル２０が配置されている。操作パネル２０にはタッチパネルを兼ねた液晶表示部２４、コピー開始ボタン２５ａ、機能ボタン２５ｂ、テンキー２５ｃ、メインスイッチ２５ｄ等が設けられている。
【００１３】
次に、操作パネルの画像形成装置本体への取付け構造について説明する。図３は操作パネル周辺の組立機構を示す側面図、図４は操作パネル２０周辺の分解状態を示す側面図、図５は操作パネル２０周辺の他の組立状態を示す側面図である。
【００１４】
図２、図３、図４および図５において、操作パネル２０は、左右端２０ｂ、２０ｃは画像形成装置本体１０の一部１０ｂ、１０ｃで位置規制され、操作パネル２０は画像形成装置本体１０に対し手前より奥に移動可能となっている。操作パネル２０は画像形成装置本体１０に結合部２で結合する。結合部２は、画像形成装置本体１０側に形成した溝のある本体側係合部１３に、操作パネル２０側に形成したパネル側係合部２２が円状部材となって回動自在に挿入されている。また、固定部１５はねじにより操作パネル２０を画像形成装置本体１０に固定している。さらに、操作パネル２０は、画像形成装置本体１０に対し、２つの所定の傾きで固定できる。なお、別の傾きでは、別の固定部１４（図５）と本体側のねじ穴が使用される。
【００１５】
ここで操作パネル２０の組立手順について説明する。操作パネル２０を画像形成装置本体１０に載せる。操作パネル２０を画像形成装置本体１０の前方より後方に押し込むと軸が溝に嵌合する。ここで、固定部１５であるねじで固定するようになっている。
【００１６】
以上より、操作パネルの画像形成装置本体への組み立てが容易で確実となる。
（実施の形態２）
第２発明の実施の形態に係わる画像形成装置について説明する。図６は第２発明の実施の形態における操作パネルの仮保持状態を示す側面図、図７は操作パネルの仮保持状態を示す斜視図、図８は操作パネルと他の仮保持状態を示す側面図である。
【００１７】
図６、図７および図８に示すように、操作パネル２０は仮保持部４Ａで画像形成装置本体１０に仮保持される。仮保持部４Ａは、画像形成装置本体１０に形成した本体側仮保持部１１、操作パネル２０側に形成したパネル側仮保持部２１ａよりなる。操作パネル２０の後方側端と前記後方側端に対向する画像形成装置本体の前面側端とで操作パネル２０と画像形成装置本体１０とのハーネス２７（図７）の接続処理ための空間２６が形成される。仮保持部４Ｂ（図８）は、画像形成装置本体１０側に形成した本体側仮保持部１１、操作パネル２０側に形成したパネル側仮保持部２１ｂよりなる。この仮保持部４Ｂは操作パネル２０と画像形成装置本体１０との固定位置の近傍にある。操作パネル２０は、画像形成装置本体１０に対し、前記実施の形態１と同様に２つの所定の傾きで固定可能となっている。
【００１８】
次に、操作パネルの組み立て手順について説明する。操作パネル２０を仮保持部４Ａで画像形成装置本体１０に仮保持する。ここで、図７に示す操作パネル２０と画像形成装置本体１０間の配線処理を行う。完了すると操作パネル２０を仮保持部４Ａから外す。次に、操作パネル２０を今度は係合部４Ｂ（図８）で画像形成装置本体１０に仮保持する。その後、固定部１５であるねじにより操作パネル２０を画像形成装置本体１０に固定する。
【００１９】
以上により、操作パネルの仮保持により操作パネルの画像形成装置本体への組み込み、配線処理等が容易に行うことが出来るようになる。
【００２０】
【発明の効果】
以上のように構成したので下記のような効果を奏する。
【００２１】
請求項１、５に記載の発明によれば、本体側係合部とパネル側係合部との係合後に操作パネルを画像形成装置本体に対し平行に移動させることにより係合するので、操作パネルの画像形成装置本体への組み立てが容易で確実となる。
【００２２】
請求項２に記載の発明によれば、本体側係合部をスリット状の溝とし、パネル側係合部を軸としたので、操作パネルの画像形成装置本体への組み立てが容易で確実となる。
【００２３】
請求項３に記載の発明によれば、操作パネルを操作者が操作する位置より見て左右端が画像形成装置本体の一部で位置規制され、操作パネルは画像形成装置本体に対し後方に移動して溝に挿入されるので、操作パネルの画像形成装置本体への組み立てが容易で確実となる。
【００２４】
請求項４および７に記載の発明によれば、操作パネルの上面の傾きは、画像形成装置本体に対し、少なくとも２つの所定の傾きに固定、または任意の傾きに調整可能であるので、用途に合わせ切り替えができ便利である。
【００２５】
請求項６、１１に記載の発明によれば、操作パネルを画像形成装置本体に組立時、操作パネルが画像形成装置本体に対し仮保持可能であるので、操作パネルと画像形成装置本体との固定が容易となる。
【００２６】
請求項８に記載の発明によれば、仮保持により、操作パネルの後方側端と画像形成装置本体の前面側端とで操作パネルと画像形成装置本体との電気的接続のための空間が形成されるので、操作パネルと画像形成装置本体間の配線処理等の組み立てが容易となる。
【００２７】
請求項９に記載の発明によれば、操作パネルの仮保持により、操作パネルと画像形成装置本体との固定のための間隙が形成されるので、操作パネルと画像形成装置本体との固定が容易となる。
【００２８】
請求項１０に記載の発明によれば、本体側仮保持部は複数のパネル側仮保持部と仮保持されるので、構造が簡易となる。
【図面の簡単な説明】
【図１】第１発明の実施の形態における画像形成装置の操作パネル周辺を示す斜視図である。
【図２】図１の操作パネル周辺を示す上面図である。
【図３】操作パネル周辺の組立機構を示す側面図である。
【図４】操作パネル周辺の分解状態を示す側面図である。
【図５】操作パネル周辺の他の組立状態を示す側面図である。
【図６】第２発明の実施の形態における操作パネルの仮保持状態を示す側面図である。
【図７】操作パネルの仮保持状態を示す斜視図である。
【図８】操作パネルと他の仮保持状態を示す側面図である。
【符号の説明】
２　係合部
４Ａ、４Ｂ　仮保持部
１０　画像形成装置本体
１１　本体側仮保持部
１３　本体側係合部
１４、１５　固定部
２０　操作パネル
２１ａ、２１ｂ　パネル側仮保持部
２２　パネル側係合部
２６　空間
【図１】
2004054173.tif 000003
【図２】
2004054173.tif 000004
【図３】
2004054173.tif 000005
【図４】
2004054173.tif 000006
【図５】
2004054173.tif 000007
【図６】
2004054173.tif 000008
【図７】
2004054173.tif 000009
【図８】
2004054173.tif 000010